(57)【要約】      （修正有）【課題】ヘアカラー剤やトリートメント剤等の薬剤を施すときは、ケープとなり、薬剤を施した後は、薬剤の付着した頭髪を簡単に包み込むことができる新たなカバーと、その使用方法を提供する。【解決手段】略中央部分の貫通孔２に被装着者の頭部を入れて被ると、被装着者の腹部と背中を被う大きさとなる伸展性のある合成樹脂製シートで形成されている。前記貫通孔２は、伸びながら被装着者の頭部が辛うじて入る大きさに形成され、さらに前記貫通孔２の周縁を被装着者の首周りに配置した状態から、腹部へ垂れるカバー部分を前方へ持ち上げて前記貫通孔から被装着者の顔を露出させると、前記貫通孔の周縁が、さらに伸びて被装着者のうなじから耳の下を通って額に至る顔周りに密着する形状である。【選択図】図２５
2019198617.tif 000002
【特許請求の範囲】
【請求項１】
センターライン上に貫通孔が設けられたシート状のカバーであって、前記貫通孔は、引っ張れば伸びる薄さであるとともに、被装着者の頭部が辛うじて通る大きさであり、前記貫通孔に被装着者の頭部を通して被ると、前記カバーが被装着者の腹部と背中に分かれて垂れるカバーとなり、その状態の後側のカバー部分をそのままに、腹部へ垂れる前側のカバー部分を持ち上げて、前記貫通孔から被装着者の顔を露出させると、前記貫通孔の周縁が薄くなりながら伸びて、被装着者のうなじから耳の下を通って額に至る顔周りの肌に密着する貫通孔となり、さらに被装着者の腹部と背中に分かれて垂れる一方のカバー部分が、上部が開口した袋部に形成されており、前記袋部は、前記貫通孔の周縁が、被装着者のうなじから耳の下を通って額に至る顔周りの肌に密着した状態において、頭髪全体を被う大きさとなるカバー。
【請求項２】
前記カバーが被装着者の腹部と背中に分かれて垂らされた状態において、前記袋部が逆円錐形の袋となる請求項１に記載のカバー。
【請求項３】
前記貫通孔の周縁の厚みよりも、前記袋部の厚みの方がより厚い請求項１又は２に記載のカバー。
【請求項４】
前記袋部を背中に配置し、前記袋部と反対側に位置する他方の平坦な垂れ部を腹部に配置して、被装着者がテーブルの前に座ると、前記垂れ部が、前記腹部を被った上で、さらに前記テーブル上に敷くことができる大きさである請求項１に記載のカバー。
【請求項５】
請求項１から４の何れかに記載のカバーの使用方法であって、被装着者の頭髪に薬剤を施す前に、前記袋部の上部開口を上に向けた状態で前記貫通孔に頭部を通し、続いて前記袋部と前記垂れ部の何れか一方を被装着者の腹部へ垂らし、他方を被装着者の背中に垂らして、被装着者の上半身を被うことを特徴とするカバーの使用方法。
【請求項６】
請求項５に記載のカバーの使用方法に続いて、被装着者の頭髪に薬剤を施し、続いて腹部に垂らした前記袋部を前方へ持ち上げながら前記貫通孔から被装着者の顔を露出させて前記貫通孔の周縁を被装着者のうなじから耳の下を通って額に至る顔周りに密着させて、前記袋部で頭髪全体を包み込むことを特徴とするカバーの使用方法。
【請求項７】
請求項５に記載のカバーの使用方法に続いて、被装着者の頭髪に薬剤を施し、続いて腹部に垂らした前記袋部又は前記垂れ部を前方へ持ち上げながら前記貫通孔から被装着者の顔を露出させて、前記貫通孔の周縁を被装着者のうなじから耳の下を通って額に至る顔周りに密着させ、続いて頭部に持ち上げた前記袋部と前記垂れ部とで、頭髪との間に空気を含ませた状態で頭髪全体を包み込むことを特徴とするカバーの使用方法。
【請求項８】
請求項５に記載のカバーの使用方法に続いて、被装着者の頭髪に薬剤を施し、続いて腹部に垂らした前記垂れ部を前方へ持ち上げながら前記貫通孔から被装着者の顔を露出させて前記貫通孔の周縁を被装着者のうなじから耳の下を通って額に至る顔周りに密着させ、続いて腹部から持ち上げた前記垂れ部を頭部に被せ、その上に、背中から持ち上げた前記袋部を被せて、頭髪との間に空気を含ませた状態で頭髪全体を包み込むことを特徴とするカバーの使用方法。
【発明の詳細な説明】
【技術分野】
【０００１】
本発明は、頭髪に薬剤を施すときは、上半身を被うケープとなり、薬剤を施した後は、頭髪全体を保温・保湿して、薬剤の乾燥を防ぐことができる新たなカバーとその使用方法に関する。
【背景技術】
【０００２】
美容室や理容室において、パーマやヘアトリートメント、ヘアカラー等の薬剤を施すときは、薬剤が施された頭髪にヘアキャップを被せたり、食品包装用のラップフイルムを巻いたりする。これは、薬剤の乾燥を防ぎ、頭髪を保温・保湿することによって、薬剤の浸透効果を促進させるためである。
【０００３】
しかし、個人が自宅で髪を染める時は、ヘアキャップやラップフイルムは、殆ど使用されない。そのため、髪に塗布した薬剤が乾燥し、十分な保温・保湿が行われないために、ヘアカラー剤の場合は、化学変化にムラが生じて、染ムラ、色ムラが生じることがある。また、薬剤塗布後の放置時間中に、ヘアカラー剤で周囲を汚す危険性がある。さらにヘアカラー剤の独特な刺激臭によって不快感を覚えることもある。
【０００４】
また、ヘアカラー剤を使用するときは、衣服への付着を避けるために、ケープを着用するが、その場合でも、薬剤の付着した頭髪が露出しているため、薬剤によって衣服や周囲を汚す危険性もある。それを嫌う場合は、風呂場でヘアカラー剤を使用するが、それが身体に付着すると、肌が数日間染まることがあり、さらに浴槽や壁等に付着すれば、その汚れが落ちない問題がある。
【０００５】
こうした背景から、下記先行技術文献に開示した種々のヘアキャップが開発されているが、それらは家庭でも美容室等でも定着しておらず、実用化されたものは、殆どない。
【０００６】
一方、美容室や理容室でヘアキャップを使用するときは、ゴム紐の入ったヘアキャップを大きく広げて、薬剤の付着した頭髪に被せなければならないから、美容師にとっては至難な作業となる。特に、ヘアキャップの周縁にヘアカラー剤が付着すると、それがお客様の肌に接して染まることがあるため、ヘアキャップの周縁が頭髪に接触しないように、ヘアキャップのゴム紐を両手で目一杯広げて被せなければならないが、一人でそれを行うことは極めて難しく、時には他者の助けが必要になる。しかも、ヘアキャップを頭の上から被せるために、被せる時に、全ての頭髪をヘアキャップ内に納めた状態にすることが難しく、しばしばヘアキャップを被せた後に、周縁からはみ出た髪をヘアキャップ内に納めなければならない煩わしさを伴うことがある。
【０００７】
また、被せたヘアキャップを取り除くときに、ゴム紐の伸縮により、ヘアキャップに付着した薬剤が弾かれて飛散し、お客様の顔周りや衣服に付着することがある。さらに、ヘアキャップのギャザーを閉じるゴム紐が肌に強く食い込むため、お客様に不快な思いをさせたり、痕を残したりする。そうした事情から、最近では、食品包装用のラップフイルムで頭髪を被うことが行われているが、この場合にも、次のような問題が指摘されている。
【０００８】
ラップフイルムは、ラップフイルム同士の粘着力を利用して頭髪に巻かれるため、巻かれたラップフイルムは、頭髪を包み込んで薬剤の乾燥を防ぐが、断熱性能が劣るため、室内の冷暖房機器からの冷風や温風に晒されると、密着した部分が部分的に冷やされたり暖められたりして、薬剤の効きがムラになることがある。そのため、ラップフイルムを被せた上から遠赤外線を照射したり、その上から遠赤外線キャップを被せたりしている。
【０００９】
また、ラップフイルムには、自己粘着力があるため、フイルムロールから引き出されたラップフイルムの四隅を保持していないと、折れ重なって使用できなくなることがある。そのため、ラップフイルムを張った状態で頭部に巻き付けるときに、生え際から髪が垂れていると、それを掻き上げながら巻きつけることが一人でできないために、他者の助けが必要となる。さらにラップフイルムを頭部に巻き付けるときは、ヘアキャップと同様、髪の生え際部分を強く締め付けて、ラップフイルムがずれたり、薬剤が顔に垂れたりしないようにしなければならないが、密着させた隙間に薬剤の化学反応で生じた水や薬剤が侵入すると、フイルムの自己粘着力が失われて緩み、それに起因して、付着した薬剤の重みも加わってラップフイルムが頭部からずれ落ちることがある。
【００１０】
また、美容室では、薬剤の浸透効果を確認するために、頭髪に巻かれたラップフイルムを部分的に開いて頭髪を露出させることがある。そのときも、フイルムの自己粘着力が失われて、頭部からずれ落ちることがある。それが予期せぬときに起きると、お客様や周囲に薬剤が飛散して、思わぬ事故を招くことがある。また、シャンプー台でラップフイルムを取り除く時も、同様な注意を必要とする。
【先行技術文献】
【特許文献】
【００１１】
【特許文献１】特開２００１−３１４２２４号公報
【特許文献２】特開２００２−３２０５１６号公報
【特許文献３】特開２００３−０９３１３６号公報
【特許文献４】特開２００３−０７０５２５号公報
【特許文献５】特開２００３−１８９９２４号公報
【特許文献６】特開２００５−１９４６７８号公報
【特許文献７】特開２００６−２５５２６６号公報
【特許文献８】特開２００９−００７６９２号公報
【特許文献９】特開２０１３−１６２８９７号公報
【特許文献１０】特開２０１６−０２８６６７号公報
【特許文献１１】実開昭４９−６６６３６号のマイクロフイルム
【特許文献１２】実開平１−１４９７１８号のマイクロフイルム
【発明の概要】
【発明が解決しようとする課題】
【００１２】
本発明は、こうした問題を一挙に解決したもので、ヘアカラー剤やトリートメント剤等の薬剤を施すときは、ケープとなり、薬剤を施した後は、薬剤の付着した頭髪を簡単に包み込むことができる新たなカバーと、その使用方法を提供することを課題とする。
【課題を解決するための手段】
【００１３】
以下、本発明に係るカバーの構成とその使用方法を、図面及び図面代用写真（以下、図と略称する）に基づいて説明する。
＜カバーの基本形態１＞
本発明に係るカバーは、手で引っ張れば伸びる薄さの合成樹脂製シートで形成され、該カバーの長手方向に沿うセンターライン上には、被装着者の頭部が辛うじて通る大きさの貫通孔が形成され、該貫通孔に被装着者の頭部を通して被ると、被装着者の少なくとも両肩と腹部とが被われる大きさのカバーとなり、その状態の両肩を被う後側のカバー部分をそのままにして、腹部へ垂れる前側のカバー部分を持ち上げて前記貫通孔から被装着者の顔を露出させると、前記貫通孔の周縁がさらに伸びて被装着者のうなじから耳の下を通って額に至る顔周りに密着する貫通孔となり、さらに腹部から持ち上げて頭髪に被せた前記カバー部分が、頭髪全体を包み込むことができる大きさであることを特徴とする。
【００１４】
このカバーは、手で引っ張れば伸びる薄さの合成樹脂製シートで形成されている。具体的には、ポリ袋等に使用されるポリエチレン、ポリプロピレン、ナイロン等を素材とした非吸水性のシートである。このポリ袋を素材としたシートは、手で引っ張れば、５倍以上は伸びるが、カバーに形成した貫通孔に頭部を通し、その貫通孔から顔を露出させるためには、０．０５ｍｍ以下の薄さのシートが好ましい。また、引っ張って伸びた貫通孔は、薄くなって肌に密着するが、そのときの密着性と締め付け力を考慮すると、例えば０．０３ｍｍから０．０１５ｍｍの薄さのシートが好ましい。
【００１５】
このシートで形成したカバーに、汚れ防止用のケープとしての機能を持たせる場合は、少なくとも被装着者の腹部と背中を被う大きさにする。具体的には、図１に示すように、横幅Ｌ１を５０〜９０ｃｍ、縦幅Ｌ２を７０〜１００ｃｍの略四角形にし、貫通孔２は、カバー１の長手方向に沿うセンターラインＣＬの略中央部分に設けておく。
【００１６】
また、汚れ防止専用のケープを装着した上からカバーを装着する場合は、エプロンのように被装着者の両肩と腹部を被う大きさのカバーとしても良い。この場合は、図２に示すように、横幅Ｌ１が約５０ｃｍ、縦幅Ｌ２が約７０ｃｍの大きさであれば足りる。また、貫通孔２は、センターラインＣＬ上の一端寄りに形成しておく。このときのカバー１の外縁と貫通孔２の周縁までの最短距離ＭＬは、貫通孔２が引き伸ばされても破れない程度の長さ、例えば７〜１０ｃｍ程で良い。
【００１７】
また、図３に示すように、被装着者の前側に垂らすカバー１の長さＬＬを９０〜１００ｃｍに伸ばしておけば、カバー１を装着したときの裾１ａを、図４に示すように、テーブルＴ上に敷き、その上に鏡Ｍや薬剤Ｎ等を並べて、髪染めを行うこともできる。
【００１８】
これらのカバー１に設ける貫通孔２の大きさは、被装着者の頭部が辛うじて通る大きさである。例えばポリ袋を素材としたカバー１では、引っ張れば５倍以上は伸びるから、例えば周囲長が５３ｃｍの頭部に対し、貫通孔２の周囲長を略３８ｃｍとしておく。そうすれば、小さな貫通孔２に頭部を通すときに、貫通孔２が広がって首に嵌るが、元のサイズには戻らない。この例では、薄さが０．０２ｍｍのポリ袋で試したが、カバー１の厚みが厚くなれば、貫通孔２の大きさを大きくする必要がある。例えばカバー１を０．０４ｍｍのポリ袋でカバー１を形成した場合は、前述の貫通孔２の周囲長を略４０ｃｍに広げておけば、０．０３ｍｍの薄さと略同程度の抵抗でもって、小さな貫通孔２に頭部を通すことができる。
【００１９】
図１のカバー１を装着するときは、貫通孔２に頭部を入れて被った後、そのカバー１のセンターラインＣＬを被装着者の前後方向に向ける。すると、図５に示すように、カバー１でもって被装着者の両腕を除く上半身を被うことができる。これにより、カバー１が頭髪に薬剤を施すときの汚れ防止用ケープになる。また、図３の長いカバー１を装着するときは、前述のように、貫通孔２に頭部を通した後、丈の長いカバー部分を腹部へ垂らし、その裾１ａを、図４のように、テーブルＴ上に敷く。これにより、テーブルＴ上に薬剤等が零れても、ケープとして装着した裾１ａをテーブルＴの汚れ防止用シートとして機能させることができる。また、図２の短いカバー１を装着するときは、専用のケープを装着した上から図２のカバー１を装着する。
【００２０】
このようにカバー１を装着してから、頭髪に薬剤を施し、続いて図６、図７に示すように、後側のカバー部分は、そのままにして、腹部へ垂れる前側のカバー部分だけを持ち上げて貫通孔２から被装着者の顔を露出させる。すると、貫通孔２の周縁は、さらに伸びて図８に示すように、被装着者のうなじから耳の下を通って額に至る顔周りに密着する。
【００２１】
このとき、腹部へ垂れる前側のカバー部分だけを持ち上げて顔を露出させるため、図９に示すように、貫通孔２のうなじ側は、伸びながら束になり、貫通孔２の前側は、顔で押し広げられて、図８のように、平面的に広がった状態で顔周りの肌に密着する。このときの貫通孔２の締め付け力は、不快感を覚えるような強いものではなく、それが伸びて薄くなったことにより、適度な強さと幅とでもって肌に密着する。そのため、薬剤の化学反応によって生じた水が薬剤と混ざって垂れてきても、肌に密着した貫通孔２の周縁がそれを阻止するから、薬剤の混じった水分が顔やうなじに垂れることはない。
【００２２】
これに対し、従来のヘアキャップは、髪の生え際に沿う縁部にゴム紐の入ったギャザーが設けられ、そのギャザーをゴム紐の締め付け力によって髪の生え際に押し付けているから、ギャザーの隙間から薬剤等が漏れ出ないようにするには、不快感を覚えるような強い締め付け力でもってギャザーを締め付ける必要がある。これに対し、本発明では、手で引っ張れば伸びる薄さの合成樹脂製シートで形成された貫通孔２が、顔で押し広げられることによって顔周りに密着するから、ヘアキャップのような不快感が無く、貫通孔２周縁からは、薬剤の混じった水分は、漏出しないのである。
【００２３】
貫通孔２の形状は、頭部を輪切りにしたような形状が好ましいが、貫通孔２の周縁は、柔軟に伸びるから、例えば円形や卵形であってもよいし、伸びたときの貫通孔２の最終形状である、図９に示すような、被装着者のうなじから耳の下を通って額に至る顔周りに沿った形状の相似形の小さな形状であっても良い。
【００２４】
また、量産化に備えて、図１０に示すように、所定幅だけ直線状に切り裂いて、その両端部に小さな丸孔２ａを開けた貫通孔２であっても良い。この小さな孔２ａは、直線状に切り裂いた貫通孔２を頭部に通すときに、その両端部が裂けるのを防止する孔である。また、図１１の符号２ｂで示すように、略中央部分の貫通孔２から幅の短い横幅の側縁２ｃへ向けて切断し、その切断部分２ｂを部分的に重ねて粘着テープ等で繋ぎ合わせることによって、貫通孔２の周囲長が自在に調整できるようにしても良い。この形態のカバー１をケープとして装着するときは、この切断部分２ｂを開いて、貫通孔２の周縁を首に巻いて閉じる。閉じた切断部分２ｂは、伸びる粘着テープや接着剤等で繋ぎ合わせておけば、その切断部分２ｂは、被装着者の肩の稜線に沿うから、図６、図７のように、カバー１の前側を持ち上げて貫通孔２から顔を露出させた場合は、閉じた切断部分２ｂが耳の上に被さるから、その切断部分２ｂから薬剤の化学反応で生じた水分等が漏出することはない。
【００２５】
＜基本形態１のカバーの使用方法の発明＞
これらのカバー１を使用するときは、まず、カバー１の貫通孔２に被装着者の頭部を通し、続いて図５に示すように、そのカバー１でもって被装着者の少なくとも両肩と腹部とを被い、その状態で被装着者の頭髪に薬剤を施す。続いて腹部に垂れる前側のカバー部分を持ち上げて貫通孔から被装着者の顔を露出させることにより、前記貫通孔の周縁を被装着者のうなじから耳の下を通って額に至る顔周りに密着させ、次に腹部から持ち上げて頭髪に被せた前側の前記カバー部分と、両肩に掛かる後側のカバー部分とで、頭髪全体を包み込むことを特徴とする。
【００２６】
具体的に説明すると、図１や図３の長いカバー１を使用する場合は、まず、カバー１を広げて貫通孔２に頭部を通し、丈の長いカバー部分で被装着者の腹部が被われるようにカバー１の向きを整える。図２の短いカバー１の場合は、専用のケープを装着した上から短いカバー１を腹部へ垂らして装着する。この状態で頭髪にヘアカラー剤やトリートメント剤を施す。このとき、被装着者の両肩は、裃の肩衣のように広く開放されているから、一人で行う場合でも、被装着者は、両腕を自由に上げて、頭髪に薬剤を施すことができる。
【００２７】
薬剤の塗布が終了すると、腹部に垂れるカバー１（以下、この部分を前側のカバー部分という。）を前方へ持ち上げながら貫通孔２から顔を露出させる。このとき、図６、図７に示すように、貫通孔２の後側周縁をうなじに沿わせ、前側のカバー部分を前方へ引き上げながら、顔で貫通孔２を押し広げるようにして顔を露出させる。すると、うなじに沿う貫通孔２の周縁が支点となり、そこから貫通孔２の周縁が伸びて、それが図８、図９に示すように、被装着者のうなじから耳の下を通って額に至る顔周りに密着する。このときの貫通孔２の締め付け力は、不快感を覚えるような強いものではなく、適度な強さと幅とでもって顔周りに密着する。続いて、図９に示すように、腹部から持ち上げて頭髪に被せた前側のカバー部分と後側から持ち上げたカバー部分とを頭部で束ね、束ねた部分を、図１２に示すように、クリップ等で止めて、頭髪全体を包み込む。
【００２８】
図２の短いカバー１の場合は、後述の図２５や図３４のカバー１と併用して使用する場合と、単独で使用する場合とがある。単独で使用する場合は、貫通孔２の端から裾１ａまでの長さＬＬを６０ｃｍ程度にし、横幅Ｌ１は９０ｃｍから１ｍ程度にし、後側のカバー部分の長さＭＬは、１０ｃｍから３０ｃｍあれば良い。包み方は、前側のカバー部分を持ち上げて貫通孔２から顔を露出させた後、両肩に掛かっていたカバー部分を頭頂部へ持ち上げてくしゃくしゃにすると、自然に後側のカバー部分もうなじから後頭部を被うようになる。その上から、前側のカバー部分を被せる。そして、後ろに垂れる前側のカバー部分の裾１ａの両端をうなじから額に回して結ぶ。こうすると、図２の短いカバー１でも、空気を含ませながら頭髪全体を包み込むことができる。また、図４のようにテーブルＴを被う機能を持たせたいときは、図３のように貫通孔２から裾までの長さＬＬを１ｍ程度に延ばせば良い。このときの包み方は、前述と同様であるが、前側のカバー部分１ａを中表に折って二重にした状態で、貫通孔２から顔を露出させ、その後は、前述と同様に、二重にした前側のカバー部分を頭部に被せて、後側のカバー部分の両端１ｂを額に回して結ぶ。すると、より多く空気が含まれて、保温・保湿性能を高めることができる。
【００２９】
また、図３の裾１ａの長いカバー１でテーブルＴを被ったときは、テーブルＴに敷いた裾１ａを持ち上げ、中表に折って胸元のカバー部分に重ねても良い。そうすれば、テーブルＴに敷いたカバー１が薬剤等で汚れていても、それを胸元で重ねることにより、胸元のカバー部分とカバーの裾１ａとの間に薬剤等の汚れを閉じ込めることができる。そして、前述同様、腹部に垂れる前側のカバー部分を持ち上げて貫通孔２から顔を露出させた後、それをくしゃくしゃにして頭部に被せる。続いて、背中から持ち上げた後側のカバー部分をその上に被せて、上下に重なった前後のカバー部分の周縁を閉じれば、頭髪全体をふんわりと包み込むことができる。また、これに代えて、前述のように、図９に示すように、包み込むこともできる。
【００３０】
頭髪を包み込むときに、カバー１と薬剤の付着した頭髪との間に空気を含ませると、カバー１内を保温・保湿して、薬剤の浸透効果を促進することができる。例えば図１、図３のカバー１の場合は、腹部から持ち上げた前側のカバー部分を頭頂部でくしゃくしゃに束ねてから、その上に後側のカバー部分を被せれば、くしゃくしゃにした部分に空気が含まれ、さらにその上に被せたカバー部分との間にも空気が含まれるから、カバー内の空気が外気からの影響を遮断して、頭皮からの熱によってカバー１内が保温・保湿される。加えて、カバー１内で空気の循環が起き、これによって毛髪温度が均一化され、その結果、薬剤の浸透効果が均一になるとともに、薬剤の乾燥も防止される。また、頭髪がカバー１によって密閉に近い状態で被われるから、薬剤の刺激臭を封じ込めることができる。
【００３１】
こうして頭髪全体を包み込めば、貫通孔２の周縁が顔周りに密着し、前後のカバー部分は、裏返しにされて、薬剤等が付着していないために、前開きでない服、例えばＴシャツを脱ぐときに、シャツの衿がカバー１に触れても薬剤がシャツに付着することはないし、脱ぐシャツと一緒にカバー１が外れることもない。したがって、家庭で髪を染めるときに前開きの服に着替えるのを忘れていても、慌てることなくＴシャツを脱ぐことができる。
【００３２】
以上の包み方は、髪を肩下まで垂らさない髪型での包み方であるが、髪を肩から垂らしたままの場合は、垂れた髪を被うことのできる少し長めのカバー１を使用する。そして、図１３に示すように、背中に垂れる後側のカバー部分と、腹部から持ち上げて背中に垂らした前側のカバー部分とで、背中に垂らした頭髪を挟み込むようにする。続いて図１４に示すように、例えば重なった前後のカバー部分の両サイドを中央に折り重ねた後、垂れ下がったカバー１の下端部を持ち上げて、図１５に示すように頭で束ね、束ねた部分をクリップ等で止める。または、背中に垂れ下がるカバー１の下端部を、図１６に示すように、頭部まで持ち上げて被り、その左右両端部を、図１７に示すように顎下で結ぶ。或いは、背中に垂れ下がるカバー１の下端部を肩まで持ち上げて、図１８に示すように、肩掛けのように肩に被せて、両端を喉元で結んでも良い。こうすれば、背中に垂れる頭髪をカバー１内に閉じ込めることができる。
【００３３】
＜カバーの基本形態２＞ 
次に示すカバーは、基本形態１のカバーにおいて、被装着者の腹部と背中とに分かれて垂れる一方のカバー部分が、上部が開口した袋部に形成され、該袋部は、前記貫通孔の周縁が、被装着者のうなじから耳の下を通って額に至る顔周りに密着した状態において、頭髪全体を包み込むことができる大きさであることを特徴とする。
【００３４】
具体的には、このカバー１は、図１９、図２０に示すように、カバー１に形成された貫通孔２に頭部を通して被ると、被装着者の背中と腹部とに分かれて垂れ下がる、上部に開口部３ａを備えた一方の袋部３（図２０参照）と、他方の垂れ部４（図１９参照）とを備えている。この袋部３と垂れ部４は、図１９、図２０に示すように、少なくとも被装着者の両肩と腹部とを被う大きさに形成されている。そして、前述と同様に、貫通孔２に頭部を通した後、被装着者の腹部に垂らした垂れ部４又は袋部３を持ち上げて、図２１に示すように、貫通孔２から被装着者の顔を露出させると、図２２、図２３に示すように、貫通孔２の周縁がうなじから耳の下を通って額に至る顔周りに密着する。この状態から、背中に垂らした袋部３又は垂れ部４を持ち上げて、袋部３を垂れ部４の上に被せれば、図２４に示すように、袋部３でもって、頭髪全体をふんわりと包み込むことができる。ここで、ふんわりと包むとは、カバー１を頭髪に押し付けずに、カバー１内に空気を含ませて包むことである。
【００３５】
この形態のカバー１は、扁平にすると、図２５に示すように、袋部３が三角形の袋になり、その底辺に開口部３ａが形成され、その開口部３ａの縁から垂れ部４が続き、その袋部３と垂れ部４の境目中央部分に貫通孔２が形成されている。この図２５のカバー１は、袋部３と垂れ部４を略同じ長さに設定しているが、垂れ部４は、袋部３より短くても長くても良い。また、扁平状態の袋部３は、略三角形になるが、先端をカットした台形でも良いし、四角形でも良い。このカバー１においても、貫通孔２は、被装着者の頭部が辛うじて入る大きさに形成されている。
【００３６】
＜基本形態２に係るカバーの使用方法の発明＞
この形態のカバーを使用するときは、被装着者の頭髪に薬剤を施す前に、前記袋部３の開口部３ａを上に向けた状態で貫通孔２に頭部を通し、続いて袋部３と垂れ部４の何れか一方を被装着者の腹部へ垂らし、他方を被装着者の背中に垂らして、被装着者の上半身を被うことを特徴とする。
【００３７】
具体的には、図１９、図２０に示すように、袋部３の開口部３ａを上に向けた状態で貫通孔２に頭部を通して被り、袋部３を背中に、垂れ部４を腹部に配置する。ただし、その逆の配置でも構わない。何れの配置でも、被装着者の前後に垂らされた袋部３と垂れ部４は、少なくとも被装着者の両肩と腹部を被う大きさであれば良い。したがって、垂れ部４の丈が短いカバー１を使用する場合は、カバー１の下に専用のケープを装着すると良い。
【００３８】
続いて頭髪に薬剤を施すが、そのときは、前屈みになって薬剤を施す時に、袋部３を腹部へ垂らしておけば、頭髪から垂れる薬剤を受け止めることができる。また、ロングヘアーの場合は、袋部３を背中に垂らし、その中にロングヘアーを納めて薬剤を塗布することができる。ただし、貫通孔２に被装着者の首が嵌った状態では、貫通孔２を中心にしてカバー１を自在に回動させることができるから、袋部３を腹部に配置するか、背中に配置するかは、被装着者の好みに応じて適宜に変えれば良い。さらに、被ると逆三角錐になる袋部３は、後述するように、頭髪に被せた垂れ部４の上から袋部３を被せる。あるいは、背中に垂らしたままでも、垂れ部４と共に頭髪全体を被うことができるから、前述の基本形態１のカバー１よりは、楽に頭髪を包み込むことができる。さらに、頭部に被せた、または、背中に垂らした袋部３は、三角帽子のように、頂点部分に空気溜りができるから、保温性に優れたカバー１となる。
【００３９】
続いて薬剤を施した後、腹部に垂らした袋部３又は垂れ部４を前方へ持ち上げながら貫通孔２から被装着者の顔を露出させて、貫通孔２の周縁を被装着者のうなじから耳の下を通って額に至る顔周りに密着させ、続いて頭部に持ち上げた袋部３と垂れ部４とで、頭髪との間に空気を含ませた状態で頭髪全体を包み込むことを特徴とする。
【００４０】
具体的には、カバー１自身で、あるいは汚れ防止専用のケープの上にカバー１を重ねた状態で、頭髪にヘアカラー剤やトリートメント剤を施すが、それが終了すると、図２１のように、腹部に垂れる垂れ部４を持ち上げて貫通孔２から顔を露出させる。また、逆の配置状態では、腹部の袋部３を持ち上げて貫通孔２から顔を露出させる。すると、図２２、図２３に示すように、貫通孔２の周縁が被装着者のうなじから耳の下を通って額に至る顔周りに密着する。このときの貫通孔２の締め付け力は、不快感を覚えるような強いものではなく、適度な強さと幅とでもって顔周りに密着することは、前述の通りである。なお、図２２、図２３は、腹部に垂らした垂れ部４を頭部に被せた状態である。
【００４１】
続いて、腹部から持ち上げた垂れ部４を頭頂部でくしゃくしゃにして頭部に被せ、その上から図２３、図２４に示すように、背中から持ち上げた袋部３を被せる。逆の場合は、図２６、図２７に示すように、背中から持ち上げた垂れ部４をくしゃくしゃにして頭部に被せ、その上から腹部から持ち上げた袋部３を被せる。このようにして、垂れ部４をくしゃくしゃにして頭部に被せた上に袋部３を被せて頭髪全体をふんわりと包み込むのがポイントである。これにより、くしゃくしゃにした垂れ部４の間だけでなく、垂れ部４とその上に被せる袋部３との間にも空気を含ませることができるから、カバー１内は、前述のように、保温・保湿されて薬剤の浸透効果を促進することができる。
【００４２】
また、くしゃくしゃにした垂れ部４の上に袋部３を被せる代わりに、次のような方法によって、カバー１内に空気を含ませることができる。例えば図２５に示すカバー１は、袋部３を背中に配置して、貫通孔２から顔を露出させると、図２８に示すように、舟底に設けた貫通孔２から頭部Ｈを突き出したような状態になるから、前垂れ部４の縁と図２８の左右に分かれたカバー１の上縁部分Ｅを重ね合わせて閉じ、閉じたその上縁部分Ｅを捻じってカバー１内に膨らみを持たせれば、図２９のように、カバー１内に空気を含ませることができる。そして、捻じった先端部を、図３０に示すようにクリップＦ等で止めると、カバー１内に空気を含ませた状態で薬剤の付着した頭髪全体をふんわりと包み込むことができる。
【００４３】
また、図３０では、捻じった先端部を、クリップＦで止めているが、そのクリップＦに代えて、図３１に示すように、垂れ部４の腹部と接する裏側、すなわち、垂れ部４を頭部に持ち上げたときに表側となる面にループ状の止め部８を形成しておき、その止め部８に指先で摘んだ図２９の先端部を挿入して止めれば、止め部８から引き出された先端部が抜け難くなって、図３０のクリップＦの代わりとすることができる。この止め部８は、ケープとして使用するときの垂れ部４の裏側に、ループを形成するトンネル状のバンドとして取り付けられている。なお、止め部８の位置や大きさ、ループの方向は、図３１に示した位置や方向には限定されない。
【００４４】
また、図３１に示す垂れ部４の裾１ａを長くして、図４に示すように、その垂れ部４の裾１ａをテーブルＴ上に敷く場合は、テーブルＴに敷いた垂れ部４の裾１ａを持ち上げて胸元の垂れ部４の上に重ねる、または、そのままの状態で、図２１に示すように、垂れ部４を持ち上げて貫通孔２から顔を露出させ、それをくしゃくしゃにして頭部に被せてからその上に背中の袋部３を持ち上げて被せれば、図２４のように、頭髪全体をふんわりと包み込むことができる。この場合のくしゃくしゃにされた垂れ部４は、略２倍の大きさに膨らむから、その上に袋部３を被せれば、カバー１と頭髪との間には、より分厚い空気層が形成されて、保温・保湿効果を更に高めることができる。
【００４５】
また、前述のように、家庭で使用するヘアカラー剤の場合は、プロの施術時のように、キャップやラップフイルムを使用しなくても、染まるように作られたものが多いため、図３２に示すように、腹部から持ち上げた袋部３を頭部に被せた後、図３３に示すように、肩に掛かる左右の両端部３ｄを顎下で結んだだけでも、刺激臭をカバー１内に閉じ込めて保温・保湿することができる。この場合、貫通孔２の周縁は、額に密着し、そこから袋部３が立ち上がって頭髪を被うから、図３３のように、袋部３を頬被りにすると、袋部３の上部先端部３ｔと、髪の生え際に沿った部分３ｅに空気を含ませることができるから、家庭で髪を染める場合は、袋部３を頭部に被せて、カバー１内を密閉に近い状態に保つだけでも、内部の空気層で頭髪が保温・保湿され、毛髪温度の均一化が図られるから、染めムラや色ムラなどを防止して、失敗のない染めを行うことができる。そして、白髪染めの場合では、生え際部分を、カバー１の上から優しく押さえることで薬剤を弾き易い白髪に薬剤を密着させることができ、その状態を保持することができるので、染め残しが気になる生え際部分も失敗無く染めることができる。また、美容室や理容室で使用するプロ用の薬剤を使用する場合でも、薬剤に適した室温のときや、空調の風による影響がないときは、この使用方法であっても、薬剤を浸透させるに十分な環境をカバー１内に作り出すことができる。
【００４６】
また、このカバー１は、これまでのヘアキャップのように、上から被せるのではなく、袋部３と垂れ部４とをケープのように装着した状態から、腹部に垂らした袋部３又は垂れ部４を持ち上げて貫通孔２から顔を露出させるから、貫通孔２の周縁を薬剤の付着した頭髪に接触させずに、顔周りの肌に密着させることができる。したがって、ヘアキャップを上から被せるこれまでのやり方と比べると、薬剤の顔への付着を気にせずに装着することができるだけでなく、従来のヘアキャップのように、キャップの周縁からはみ出た髪をヘアキャップ内に入れ直す必要がないから、装着が極めて楽になる。
【００４７】
また、カバー１を被装着者の上半身を被う大きさに形成している場合は、頭髪に薬剤を施すときは、汚れ防止用のケープになり、さらに袋部３内に頭髪を納めて薬剤を塗布することもできるから、周囲を汚さない安全性の高いカバー１となる。さらに、垂れ部４の裾１ａ伸ばして、テーブル上に敷くようにすれば、髪染めのときの薬剤がテーブルに垂れたりしても、それを気にせずに、薬剤を塗布することができる。そして、薬剤塗布時の被装着者の動きにも十分対応できる長さと幅を有しているから、裾１ａがテーブルＴからずれ落ちる心配もない。さらに、頭髪から垂れる薬剤は、逆三角錐の袋部３内に集めた後、下端部に小さな孔を開けて回収することもできるから、粘性の低いサラサラの薬剤を垂れ流す施術が可能となる。また、袋部３の内側に薬剤が付着していれば、それを拭き取ってから被せることになるが、袋部３が逆三角錐であれば、その中に束ねた垂れ部４を納めて空気を含ませることができるから、背中に垂らしたままの袋部３で簡単に頭髪全体をふんわりと包み込むことができる。
【００４８】
＜カバーの基本形態３＞
次に示す形態のカバーは、図２５．図３１に示す基本形態２のカバーにおいて、前記袋部３と前記垂れ部４との境目である、被装着者の肩の稜線部分に沿って、該カバーの左右両端縁から前記貫通孔に達しないまでの切り込みが設けられていることを特徴とする。
【００４９】
具体的には、図３４に示すように、カバー１の袋部３と垂れ部４との境目に、該カバー１の左右両端部から貫通孔２に向けて切り込み５を入れている。この切り込み５位置は、カバー１をケープとして装着したときに、肩の稜線に沿う箇所である。また、その切込み深さは、左右両端縁ｄから貫通孔２の縁に向けて、縁までの距離Ｄの１／３〜１／２程度である。この切り込み５を入れることにより、カバー１を装着したときに、袋部３の左右の両端部が垂れ部４の左右の両端部から離れるから、垂らした袋部３の開口部３ａを、図３５に示すように、より大きく開かせることができる。特にカバー１が薄くなると、袋部３を垂らしたときに、袋部３を逆三角錐に保持させることが難しくなるが、この切り込み５を入れることにより、薄くて腰の弱いカバー１であっても、袋部３を逆三角錐に保持させることができる。なお、この切り込み５は、好ましくは、両肩に設けるのが良いが、片方の肩に設けただけでも、同様な効果を発揮させることができる。
また、垂れ部４を袋部３と同様な逆三角錐の袋状に形成して、腹部側にも同様な袋部を垂らして薬剤を受けるようにしても良い。
【００５０】
また、図３４では、扁平状態の袋部３の開口部３ａを円弧状に切り取っているが、必ずしも円弧にする必要はなく、肩の稜線に沿って中程まで直線的に切り込みを入れただけでも良い。また、この袋部３または先端部３０を、図３６、図３７に示すように、厚手のシートで形成しておけば、袋部３を逆三角錐に広げたときや頭部に被せるときも、袋部３または先端部３０の腰の強さでもって、逆三角錐の形状を保持することができる。
【００５１】
この形態のカバー１においても、使用方法は、前述のとおりであるが、特に袋部３を頭部に被せたときは、それが三角帽子になって型崩れし難いから、頭部でくしゃくしゃにした垂れ部４をより簡単に包み込むことができるとともに、頭部に被せた状態でも、背中に垂らした状態でも、袋部３内に空気を多く含ませることができるメリットがある。
【００５２】
以上説明したカバー１は、何れも折り畳み可能であるから、これを箱に収納する時は、図３８に示すように、折り畳んで積層した状態で箱Ｂａに収納する。或いは図３９に示すように、帯状に連なった複数枚のカバー１をロール状に巻いた状態で箱Ｂｂに収納して取り出せるようにしておく。そうすれば、図３８では、ティッシュのように一枚ずつ箱Ｂａの開口部から取り出して使用することができる。また、図３９では、ラップフイルムのように箱Ｂｂに収納されたロールからカバー１を一枚分引き出しては、後続のカバー１との境目に形成されたミシン目６で切り離して使用することができる。
【発明の効果】
【００５３】
本発明によれば、これまでのヘアキャップのように上から頭に被せるのではなく、ケープのように被装着者の上半身を被った状態から、腹部に垂らしたカバーを持ち上げて貫通孔から顔を露出させるので、貫通孔の周縁を薬剤の付着した頭髪に接触させずに、貫通孔の周縁をうなじから額までの顔周りに密着させることができる。しかも、その状態で、垂れていたカバーが裏返しになって頭髪に被さるから、カバーの表面に薬剤等が付着していても、それが裏返しになってカバー内に閉じ込めるから、頭髪を包み込んだカバーの外面を常に汚れのない状態に保持することができる。
【００５４】
また、カバーで頭髪を包み込むときに、少なくとも腹部や背中を被うことのできる大きさのカバー部分をくしゃくしゃにしたところに、他方のカバー部分を被せて、頭髪全体を包み込む、または、一方のカバー部分を重ね合わせて、頭髪全体を包み込むから、頭髪に接するカバー部分内と、その上に被せたカバー部分との間にも空気が含まれ、その空気が断熱材となるから、従来のヘアキャップやラップフイルムと比べても、保温・保湿性に優れて、薬剤の浸透効果をより促進させることができる。
【００５５】
また、頭髪に被せたカバー内の空気は、頭皮温度によって温められて、頭髪温度を均一にするから、温度差によって生じやすい染ムラや色ムラ等を無くすことができる。また、染め残しの多い生え際は、カバー１の上から優しく押さえることにより、薬剤が毛髪に生え際まで密着した状態で保持することができる。したがって、このカバーを使用すれば、素人であっても失敗のない毛染めを行うことができる。
【００５６】
また、貫通孔に頭部を通して被れば、カバーが被装着者の腹部と背中を広く被って、頭髪に薬剤を施すときの汚れ防止用ケープとして機能させることができる。また、袋部のあるカバーでは、その袋部内に頭髪を納めて薬剤を施すことができるから、例え薬剤が飛び散ったり、頭髪から垂れたりしても、袋部内に留めて周囲への飛散を防止することができる。さらに、頭髪から垂れる薬剤は、逆円錐形の袋部内に集めた後、下端部に小さな孔を開けて回収することもできるから、頭髪に薬剤を流し掛ける等の施術も可能になる。
【００５７】
また、ケープとして装着したときのカバーの両サイドは、裃の肩衣のように広く開放されているから、被装着者自身が両腕を上げて髪を染めることができる。しかも、貫通孔に頭部が通されたカバーは、首を中心にして袋部を腹部や背中に回すことができるから、ユーザーの好み応じた使い方ができるカバーとなる。加えて、貫通孔に頭部が通されたカバーは、ずれ落ちないから、周囲を汚さずに、一人で髪を染めることができる家庭用のカバーとなる。
【００５８】
また、このカバーは、引っ張れば伸びる薄い合成樹脂製シートで形成され、特に頭部よりも小さな貫通孔から顔を露出させることによって、貫通孔の周縁を被装着者のうなじから耳の下を通って額に至る顔周りに密着させるから、頭髪に施した薬剤から水分が垂れてきても、それを顔やうなじに漏出させない効果がある。しかも、伸びた貫通孔の周縁は、不快感を覚えるような強いものではないから、違和感なく長時間放置することができる。
【００５９】
さらに、このカバーは、折り畳んだ状態では、扁平な略長方形になるから、帯状のフイルムから安価に量産でき、使い捨てもできるから、今までのヘアキャップのように、洗浄する必要がない。したがって、美容室・理容室にとっては、作業性の改善となり、お客様にとっても衛生的で気持ちのよいカバーとなる。
【００６０】
加えて、顔周りに密着した貫通孔は、適度なテンションと幅とでもって肌に密着するから、着ていたＴシャツを脱いでも、カバーが一緒に外れることはない。したがって、前開きの服に着替えるのを忘れて髪染めを始めても、慌てることなく作業を進めることができる。
【００６１】
さらに、腹部へ垂れるカバーの裾を長く伸ばせば、ケープとして装着したときに、長く伸びた裾をテーブルに敷くことができるから、カバーで腹部を被うだけでなく、テーブルの汚れ防止用シートとしても機能させることができる。
【図面の簡単な説明】
【００６２】
【図１】本発明に係るカバーの平面図。
【図２】本発明に係る他の形態のカバーの平面図。
【図３】本発明に係るさらに他の形態のカバーの平面図。
【図４】図３のカバーの裾をテーブル上に敷く場合の説明図。
【図５】図１のカバーの貫通孔に頭部を通して被った状態の図面代用写真。
【図６】貫通孔から顔を露出させる様子の図面代用写真。
【図７】貫通孔から顔をさらに露出させる様子の図面代用写真。
【図８】貫通孔から顔を露出させた状態の図面代用写真。
【図９】貫通孔の周縁が顔周りに密着した状態を示す図面代用写真。
【図１０】他の形態の貫通孔を備えたカバーの平面図。
【図１１】貫通孔を開閉式にした平面図。
【図１２】垂れ部の上に被せた袋部の端をクリップで止めた図面代用写真。
【図１３】背中に垂らした頭髪を図１のカバーで挟んだ状態の図面代用写真。
【図１４】図１３の状態のカバーを中央に折り重ねた状態の図面代用写真。
【図１５】図１４のカバーの下端部を頭頂部に持ち上げた状態の図面代用写真。
【図１６】図１４のカバーの下端部を持ち上げて頬冠した状態の図面代用写真。
【図１７】図１６の頬冠した左右両端部を顎下で結んだ状態の図面代用写真。
【図１８】図１４のカバーを肩まで持ち上げて肩掛のようにした図面代用写真。
【図１９】図２５のカバーの垂れ部を腹部へ垂らした状態の図面代用写真。
【図２０】図２５のカバーの袋部を背中へ垂らした状態の図面代用写真。
【図２１】図１９の垂れ部を持ち上げて貫通孔から顔を露出させた図面代用写真。
【図２２】図１９の垂れ部を頭部に被せた状態の図面代用写真。
【図２３】図２１の貫通孔が顔周りに密着した状態の図面代用写真。
【図２４】図２３の袋部を頭部の垂れ部の上に被せた状態の図面代用写真。
【図２５】図１９、図２０のカバーの平面図。
【図２６】頭部の垂れ部の上に腹部から持ち上げた袋部を被せる様子の図面代用写真。
【図２７】頭部の垂れ部を腹部から持ち上げた袋部で被った状態の図面代用写真。
【図２８】図２５のカバーで頭髪を包むときの他の包み方の説明図。
【図２９】図２８のカバーの左右上縁部を閉じた捻じった状態の図面代用写真。
【図３０】図２９の捻じった先端部をクリップで止めた状態の図面代用写真。
【図３１】図３０のクリップに代えて、垂れ部に止め部を設けたカバーの平面図。
【図３２】腹部へ垂らした袋部を持ち上げて頭髪に被せた状態の図面代用写真。
【図３３】図３２の袋部の両端を顎下で結んだ状態の図面代用写真。
【図３４】図２５のカバーに切り込みを設けたカバーの平面図。
【図３５】図３４のカバーを装着した状態の図面代用写真。
【図３６】図３４の袋部の一部を厚くした形態の平面図。
【図３７】図３６のカバーを装着したときのカバーの形態を示す外観斜視図。
【図３８】本発明に係るカバーを折り畳み、それを積層して箱詰めにした説明図。
【図３９】ロール状に巻かれた本発明に係るカバーを箱から取り出すときの説明図。
【図４０】袋部３から紐９を取り出して、その袋部３を固定する様子の図面代用写真。
【発明を実施するための形態】
【００６３】
以下、本発明のカバーの実施形態を図面と図面代用写真とに基づいて説明する。なお、以下の説明では、これまで説明しなかった点に重点をおいて説明する。
【００６４】
カバー１は、種々の形状を取り得るが、貫通孔２は、被装着者の頭部が辛うじて入る大きさであり、そこに頭部を入れて被った状態から、カバー１の前側を引き上げながら貫通孔２から顔を露出させると、貫通孔２の周縁がさらに伸びて、被装着者のうなじから耳の下を通って額に至る顔周りに密着する形状でなければならない。このような、伸展性のある薄いシートとしては、ポリエチレンやポリプロピレン等から成形されたポリ袋がある。そこで、このポリ袋を使って、どの程度の伸びがあれば、適度な強さで顔周りに密着するかを、種々の厚さのポリ袋でもって実験した。
【００６５】
実験に際しては、厚さが０．００８ｍｍ、０．０１５ｍｍ、０．０２５ｍｍ、０．０３ｍｍの透明なポリ袋と半透明なポリ袋を購入し、それぞれに円周３８ｃｍの貫通孔を形成した。この貫通孔を被装着者の頭部に通すときの頭（頭髪を含む）サイズは、５３ｃｍ、貫通孔から顔を露出させて、うなじから耳の下を通って額に至る顔周りに沿わせるときの円周長さは、５６ｃｍである。その条件で、円周３８ｃｍの貫通孔に頭部を通し、続いてその貫通孔から顔を露出させる実験を行った。その結果を表１に示す。
【００６６】
【表１】
2019198617.tif 000003
【００６７】
この実験から、ポリ袋で作ったカバー１は、透明シートの方が半透明シートより良く伸びて、密着性に優れているが、半透明シートは、腰が強く、それをくしゃくしゃにすると内部に空気層が形成されるから、保温性に優れていると言える。したがって、室温が低くて保温性を高めたいときは、半透明シートが好ましく、室温が高くて保温性を重要視しないときは、透明シートの方が好ましい。また、厚さが０．０４ミリメートル以上のシートになると、貫通孔２から顔を露出させるときに、かなりの抵抗を感じるから、厚手のシートを使用するときは、頭部サイズに合わせて貫通孔２を大きくしておく必要がある。
なお、ここで使用したポリ袋は、一例であって、例えば柔軟性、ゴム弾性に優れたＥＶＡ樹脂（エチレンビニールアセタートコポリマー）やそれを添加したポリエチレンシート等でも良いが、これらは、厚みや伸びも異なるから、それらの中から適宜なものを選択すればよい。
【００６８】
また、この特性を利用して、厚みの異なるカバー１を２枚使う方法もある。例えば厚みが０．００８ミリメートルの透明のカバー１と、０、０２５ミリメートルの半透明のカバー１とを用意し、前者の薄手のカバー１は、図１に示す形状のカバー１とし、後者の厚手のカバー１は、図２５、図３１または、図３４、図３６に示す形状のカバー１としておく。そして、厚手のカバー１の貫通孔２に頭部を通してから、その上から薄手のカバー１の貫通孔２に頭部を通して二枚重ねとする。その状態で頭髪に薬剤を施した後、まず薄手のカバー１の貫通孔２から顔を露出させ、続いて厚手のカバー１の貫通孔２から顔を露出させると、顔周りには、カバー１の貫通孔２が二重に沿う状態となる。その状態で薄手のカバー１をくしゃくしゃにして頭部に被せ、その上からさらに厚手のカバー１を被せるとカバー１内をより一層、保温・保湿することができるとともに、厚手のカバー１を被せるから、頭髪を包み込み易い、断熱性の高いカバー１になる。
【００６９】
また、カバー１の貫通孔２をどの位置に設けるかによって、ケープとしたときに、様々な使い方ができる。例えば垂れ部４よりも、袋部３の方を長くすると、図２０に示すように、ロングヘアーを袋部３内に収納して薬剤を塗布することができるから、ロングヘアー用のケープとして使用することができる。また、個人が自宅で髪染めを行うときは、鏡を見ながら前屈みになって薬剤を施すことが多いから、短めの袋部３を腹部に垂らし、長めの垂れ部４を背中に垂らす形態を採ることもできる。
【００７０】
また、図２５において、袋部３を被装着者の頭部に被せたときの被装着者の額と接する縁部ａに沿って、左右方向に部分的に分離可能な紐９を形成しておけば、その紐９でもって、頭部に被せた袋部３を固定することができる。
【００７１】
ここで、部分的に分離可能とは、紐９の付け根９ａが袋部３と一体となり、それ以外の部分は、袋部３から適宜に分離可能なものをいう。具体的には、図２５に示すように、予め袋部３の縁部ａに沿ってミシン目９ｂで切り込みを入れておき、そのミシン目９ｂで切り離して紐９を形成した後、その紐９の中央部分のミシン目９ｃを左右に分離すれば、袋部３の前縁両サイドから左右方向に紐９が取り出せるようにしたものである。
【００７２】
この紐９で袋部３を頭部に固定するときは、例えば、図４０に示すように、袋部３から取り出した左右の紐９をうなじ付近で結んだり、顎下で結んだりする。そうすれば、頭髪に被せた袋部２を固定することができる。また、背中に垂らした袋部３を持ち上げるとき３に、左右の紐９を持って引き上げれば、高齢者であっても、一人で袋部２を頭部に被せることができる。図４０では、額にピンがあるが、これは不要となる。
【００７３】
また、美容師や理容師が使用する場合は、お客様にクロスや汚れ防止用のケープを装着した上からカバー１を装着するので、カバー１をケープとして使用する必要性は少ない。また、施術内容によっては、頭髪にパーマロットやストレートパーマ用の撥水紙等を装着したり、ウィービングのホイル等を装着したりする。ときには、頭髪を自然に垂らしたままにする。また、薬剤を施した後は、時間差法や施術の修正、湿熱促進器や乾熱促進器を使用する等、多種多様な施術を施す関係から、袋部３と垂れ部４とで、頭髪に装着された種々の器具（パーマロット等）を包み込むことができる大きさが好ましい。したがって、カバー１を商品化するときは、頭髪の長さや目的に応じて、貫通孔２の位置や形状、袋部と垂れ部の組み合わせやその形状、カバー１のサイズや厚み等が異なるものを複数用意しておくのが好ましい。
【００７４】
美容室や理容室では、薬剤を頭髪に施す時や、薬剤を施した頭髪をコーミングする時に薬剤が垂れたり飛散したりしても、背中側に垂らした逆三角錐の袋部３が薬剤を受け止めて、周囲に付着する事故を防ぐことができる。また、袋部３は、柔軟に変形するので、施術者の立ち位置や、施術内容に応じて、袋部３を種々の形状に変えて作業性を向上させることができる。
【００７５】
これまでの汚れ防止用ケープは、お客様への薬剤付着は防げても、薬剤がケープや施術者自身に付着すると、それによる二次汚染を防ぐことができなかった。例えば施術者は、お客様の回りを動きながら薬剤を施していくので、施術中に薬剤が付着したケープや頭髪に接触して、自身に付着した薬剤に気づかずに施術を続けることがある。こうした場合、施術者自身に付着した薬剤が、お客様や周囲に付着して思わぬ事故を招くことがあった。
【００７６】
また、背中に垂らした袋部３内で液状の薬剤を頭髪に流し掛ける場合、頭髪から垂れる薬剤は、逆三角錐の袋部３の下端部に集めることができるから、その先端部をカットし、その先にボウルで受けることによって回収することができる。また、薬剤を施した後は、カットした先端部を折り曲げて、テープやクリップ等で密閉することにより、孔が塞がれた袋部３として使用することができる。
【００７７】
これまでのパーマでは、頭髪に流しかけるパーマ剤を受けるために、Ｕ字状のボウルを使用していた。このボウルは、左右の耳下からうなじにかけて密着するようなＵ字状の容器であり、それをお客様の両肩に掛けて垂れるパーマ液を受け、その後、ヘアキャップやラップフイルムで頭髪を被ったりしていたが、このカバー１を使用すれば、Ｕ字状のボウルが不要になり、そのボウルの脱着の手間が不要となる。そして、施術中の用具の使い分けも不要となるから、施術時間が短縮され、お客様だけでなく、施術者の負担も軽減される。
【００７８】
また、美容室や理容室では、汚れ防止用として、後開きのマントのようなクロスでお客様を被うが、お客様が動いたり、前屈みになったりすると、背中で重ね合わされたクロスが開き、それによって、クロスに付着した薬剤が衣服等に付着することがあったが、このカバー１を使用すれば、そうした事故を防ぐことができる。
【００７９】
さらに、貫通孔２の周縁が、顔周りに密着しているから、カバー１で頭髪を包み込んだまま、着ていた前開きでは無いＴシャツ等を脱いでも、カバー１が一緒に取れることはない。そして、風呂場で、シャンプーをするときに、カバー１の頭頂部を掴んで上方へ引っ張れば、貫通孔２が頭部からするりと抜けて外れるから、カバー１内の薬剤が、手や周囲に付着することも無く、それを取り外した後も、カバー１を丸めることにより、薬剤の漏出を防ぐことができるから、施術後の薬剤付着による事故を防ぐことができる。
【００８０】
また、美容室や理容室などでは、お客様をシャンプー台へ案内し、シャンプーできる体勢になってから、カバー１を止めていたクリップやピン等を取り除いて、カバー１を水平に引っ張れば、カバー１をシャンプーボウル内で取り外すことができるから、周囲を汚す危険性はない。また、頭髪にパーマロットや撥水紙などを装着している場合は、カバー１を外す前に、袋部３と垂れ部４をシャンプーボウル内で開放して、パーマロット等を取り去ってから、カバー１を取り外せば良い。
これにより、シャンプー台へ移動する時や、それを取り外す時の薬剤付着事故を防ぐことができる。それに加え、お客様のうなじを支えるシャンプーボウルの首のせ台に薬剤を付着させないから、従来のような、うなじ付近への薬剤の再付着による髪の逆折れを無くしたり、シャンプー時間を短縮したりすることができる。
【符号の説明】
【００８１】
１      カバー
２      貫通孔
３      袋部
４      垂れ部
５      切り込み
６      ミシン目
８      止め部
９      紐
【図１】
2019198617.tif 000004
【図２】
2019198617.tif 000005
【図３】
2019198617.tif 000006
【図４】
2019198617.tif 000007
【図５】
2019198617.tif 000008
【図６】
2019198617.tif 000009
【図７】
2019198617.tif 000010
【図８】
2019198617.tif 000011
【図９】
2019198617.tif 000012
【図１０】
2019198617.tif 000013
【図１１】
2019198617.tif 000014
【図１２】
2019198617.tif 000015
【図１３】
2019198617.tif 000016
【図１４】
2019198617.tif 000017
【図１５】
2019198617.tif 000018
【図１６】
2019198617.tif 000019
【図１７】
2019198617.tif 000020
【図１８】
2019198617.tif 000021
【図１９】
2019198617.tif 000022
【図２０】
2019198617.tif 000023
【図２１】
2019198617.tif 000024
【図２２】
2019198617.tif 000025
【図２３】
2019198617.tif 000026
【図２４】
2019198617.tif 000027
【図２５】
2019198617.tif 000028
【図２６】
2019198617.tif 000029
【図２７】
2019198617.tif 000030
【図２８】
2019198617.tif 000031
【図２９】
2019198617.tif 000032
【図３０】
2019198617.tif 000033
【図３１】
2019198617.tif 000034
【図３２】
2019198617.tif 000035
【図３３】
2019198617.tif 000036
【図３４】
2019198617.tif 000037
【図３５】
2019198617.tif 000038
【図３６】
2019198617.tif 000039
【図３７】
2019198617.tif 000040
【図３８】
2019198617.tif 000041
【図３９】
2019198617.tif 000042
【図４０】
2019198617.tif 000043